(57)【要約】【課題】乾燥効率の向上を図ることのできる洗濯乾燥機を提供する。【解決手段】洗濯物を出し入れする開口部を上面に有して回転可能に支持される回転槽１１と、開口部から回転槽１１内に温風を供給する温風供給手段４１とを備え、回転槽１１は定格水位以下の周壁を無孔壁から形成するとともに温風を排気する孔部３５を底面に設けることによって、温風供給手段４１により回転槽１１内に供給された温風は周壁から水槽５側に流出することなく洗濯物と接触して孔部３５から排気される。【選択図】      図１
2004174166.tif 000002
【特許請求の範囲】
【請求項１】
洗濯物を出し入れする開口部を上面に有して回転可能に支持される回転槽と、前記開口部から前記回転槽内に温風を供給する温風供給手段とを備え、前記回転槽は定格水位以下の周壁が無孔壁から成るとともに温風を排気する孔部を底面に有することを特徴とする洗濯乾燥機。
【請求項２】
前記孔部の排気を前記開口部に導く温風経路を設け、前記温風供給手段を前記温風経路内に配したことを特徴とする請求項１に記載の洗濯乾燥機。
【請求項３】
前記回転槽を外装して前記回転槽の溢水を回収する水槽を設け、前記温風経路の壁面が前記水槽から成ることを特徴とする請求項２に記載の洗濯乾燥機。
【請求項４】
前記回転槽に貯溜される洗濯水を前記孔部から排水可能にしたことを特徴とする請求項１〜請求項３のいずれかに記載の洗濯乾燥機。
【請求項５】
前記孔部は上面側の周囲が曲面から成ることを特徴とする請求項１〜請求項４のいずれかに記載の洗濯乾燥機。
【請求項６】
前記回転槽の底部に洗濯水を攪拌する攪拌翼を設け、前記攪拌翼は前記孔部よりも外周側に形成される複数の通気孔を有することを特徴とする請求項１〜請求項５のいずれかに記載の洗濯乾燥機。
【請求項７】
前記通気孔の開口率を外周へいく程大きくしたことを特徴とする請求項６に記載の洗濯乾燥機。
【発明の詳細な説明】
【０００１】
【発明の属する技術分野】
本発明は洗濯乾燥機に関し、特に洗濯物を収容する回転槽が立設した洗濯乾燥機に関する。
【０００２】
【従来の技術】
洗濯物を収容する回転槽が立設した従来の洗濯乾燥機は特許文献１に開示されている。この洗濯乾燥機は洗濯水を貯水する水槽と同軸に回転槽が内装されている。水槽には排水口を介して洗濯水を排水する排水管が設けられる。回転槽の底部には開口部が設けられ、洗濯水を攪拌する攪拌翼が開口部を覆うように配されている。回転槽は開口部により水槽内と連通して貯水されるとともに排水可能になっている。また、排水管から分岐する温風経路が回転槽の上部に臨んで配置され、温風経路内には乾燥ヒータ及び乾燥ファンが設けられている。
【０００３】
洗濯乾燥機の運転を開始すると、洗い工程、すすぎ工程、脱水工程及び乾燥工程が行われる。洗い工程では水槽及び回転槽内に洗剤を含む洗濯水が貯溜され、攪拌翼により洗濯水を攪拌して洗濯物の洗いが行われる。すすぎ工程では同様に回転槽内に洗剤を含まない洗濯水が貯溜されすすぎが行われる。
【０００４】
脱水工程では攪拌翼及び回転槽が高速回転され、洗濯物に含まれた洗濯水が回転槽の周壁に形成された多数の小孔を介して水槽内に飛散する。これにより洗濯物の脱水が行われる。乾燥工程ではパルセータ及び回転槽が回転し、乾燥ファンを駆動して乾燥ヒータによる温風が回転槽内に供給される。温風は洗濯物と接触した後、回転槽底部の開口部及び水槽の排水口を介して排水管及び温風経路を流通して循環する。これにより、洗濯物の乾燥が行われる。
【０００５】
【特許文献１】
特開２００２−２３９２８３号公報（第５頁−第７頁、第１図）
【０００６】
【発明が解決しようとする課題】
しかしながら、上記の従来の洗濯乾燥機によると、乾燥工程時に回転槽内に供給された温風が回転槽の周壁に設けられた小孔から水槽側に流出する。このため、洗濯物に温風が充分接触せず、乾燥時間が増大して乾燥効率が低下する問題があった。
【０００７】
本発明は、乾燥効率の向上を図ることのできる洗濯乾燥機を提供することを目的とする。
【０００８】
【課題を解決するための手段】
上記目的を達成するために本発明は、洗濯物を出し入れする開口部を上面に有して回転可能に支持される回転槽と、前記開口部から前記回転槽内に温風を供給する温風供給手段とを備え、前記回転槽は定格水位以下の周壁が無孔壁から成るとともに温風を排気する孔部を底面に有することを特徴としている。
【０００９】
この構成によると、温風供給手段により回転槽内に供給される温風は洗濯物と接触して孔部から流出する。この時、回転槽の周壁が無孔壁から成るので洗濯物に充分接触しない温風の流出が防止される。前記孔部の排気を前記開口部に導く温風経路を設け、前記温風供給手段を前記温風経路内に配すると、回転槽内に供給される温風は温風経路に流出して循環する。回転槽を外装して回転槽の溢水を回収する水槽により温風経路の壁面を形成すると部品点数の削減を図ることができる。
【００１０】
また本発明は、上記構成の洗濯乾燥機において、前記回転槽に貯溜される洗濯水を前記孔部から排水可能にしたことを特徴としている。この構成によると、乾燥工程時に温風が孔部から流出するとともに、洗い工程及びすすぎ工程時に洗濯水が孔部を介して排水される。
【００１１】
また、孔部は上面側の周囲を曲面により形成すると、孔部を流通する温風の圧力損失が低減されるのでより望ましい。
【００１２】
また本発明は、上記構成の洗濯乾燥機において、前記回転槽の底部に洗濯水を攪拌する攪拌翼を設け、前記攪拌翼は前記孔部よりも外周側に形成される複数の通気孔を有することを特徴としている。この構成によると、洗濯物と接触した温風は外周側に配される攪拌翼の通気孔を通って内周側に配される孔部から流出する。通気孔の開口率を外周へ行くほど大きくすると、外周部を流通する温風量を増加させることができる。
【００１３】
【発明の実施の形態】
以下に本発明の実施形態を図面を参照して説明する。図１は一実施形態の洗濯乾燥機を示す側面断面図である。洗濯乾燥機１は上面を開口した外枠４０により覆われ、該開口には上面板２が装着されている。上面板２の前部には洗濯乾燥機１の運転を制御する制御部３が設けられ、中央部には開閉用蓋４により開閉される開口部２ａが形成されている。
【００１４】
外枠４０の内部には防振機構（不図示）により弾性支持された有底筒状の水槽５が配されている。水槽５の上端開口部には水槽カバー９が装着されている。水槽カバー９には温風吹出口６、乾燥ヒータ７、糸屑フィルタ８、乾燥ファン１７等から成る温風供給部４１が取り付けられている。乾燥ヒータ７及び乾燥ファン１７を駆動すると温風吹出口６から温風が送出される。また水槽カバー９の中央部には、洗濯物を出し入れするとともに乾燥工程時に外箱４０の上面を密閉して温風の漏れを防止する内蓋１０が設けられている。
【００１５】
水槽５内にはステンレス鋼板または樹脂成形品から成る有底筒状の回転槽１１が回転可能に配設されている。回転槽１１の底部には攪拌翼１２が回転可能に配設されている。回転槽１１及び攪拌翼１２は後述する駆動部４２によって回転駆動されるようになっている。
【００１６】
回転槽１１は底部材１１ａ及び胴部材１１ｂから成っており、底部材１１ａには図３に示すように複数の孔部３５が中央部に形成されている。回転槽１１の下方には水槽５内を隔離して排水経路２９を形成するシールホルダ３０が配されている。回転槽１１の下面にはシールリング２６（図２参照）が全ての孔部３５を囲むように取り付けられ、シールリング２６によって回転槽１１とシールホルダ３０との間が水密になっている。
【００１７】
排水経路２９には排水管１８が連結され、排水管１８には排水弁１９を介して排水管３３が連結されている。水槽５の下面端部には排水口５ａが形成され、連結管４３により排水管３３に連結されている。これにより、回転槽４内の洗濯水及び水槽５により回収された洗濯水が排水管３３に取り付けられた排水ホース２０から排水可能になっている。
【００１８】
水槽５の背面側には排水管１８から分岐した温風経路１５が設けられている。温風経路１５は壁面の一部が水槽５から成っており部品点数の削減が図られている。温風経路１５の上部は温風供給部４１に連結され、温風を循環する。また、温風経路１５には冷却水を放射または噴霧するノズル１６が配されており、冷却水により温風を冷却して除湿するようになっている。
【００１９】
図２は駆動部４２の詳細を示している。水槽５の底面には駆動用のモータ１３と、ベルト４８によりモータ１３に連結された機構部１４とが取り付けられている。モータ１３及び機構部１４を回転数の制御が可能なモータにしてもよい。機構部１４は回転槽１１に固定される中空の脱水軸２１と、脱水軸２１に内嵌して攪拌翼１２を取り付ける攪拌翼軸２３とを有している。脱水軸２１及び攪拌翼軸２３によりモータ１３の出力を回転槽１１または攪拌翼１２に切り替えて伝達するとともに、停止時の制動を行う。
【００２０】
水槽５と脱水軸２１との間は第１シール２２によって水密状にシールされている。攪拌翼軸２３と脱水軸２１との間は第２シール２４によって水密状にシールされている。回転槽１１の底部は脱水フランジ２５により補強され、脱水フランジ２５の下面側にシールリング２６が設けられている。また、脱水軸２１の上端にはフランジ部２１ａが形成されている。回転槽１１の底部、脱水フランジ２５及びシールリング２６はフランジ部２１ａにネジ部材を螺合して一体に共締めされている。
【００２１】
回転槽１１と脱水フランジ２５との間は第１パッキン２７によってシールされる。脱水フランジ２５とシールリング２６との間は第２パッキン２８によってシールされる。排水経路２９を形成するシールホルダ３０は第３パッキン３２を介して水槽５に固定され、シールホルダ３０に固定されたオイルシール３１によってシールホルダ３０とシールリング２６との間のシール性が保持されている。
【００２２】
図１において、回転槽１１は底部材１１ａ及び胴部材１１ｂにより構成されている。回転槽１１の周壁を成す胴部材１１ｂは周面が回転軸に対して傾斜したコニカル形状に形成されており、孔部が形成されない無孔壁になっている。胴部材１１ｂの上端にはリング状のバランサ３４が装着されている。
【００２３】
図４の拡大図に示すように、バランサ３４の下部には切欠部３６が所定間隔で設けられている。これにより、回転槽１１の回転によってコニカル形状の胴部材１１ｂの内面を上昇する洗濯水は切欠部３６から溢水して水槽５に回収されるようになっている。
【００２４】
図５は攪拌翼１２を示す平面図である。攪拌翼１２は放射状に設けられた攪拌用の突起部１２ａ、１２ｂの間の外周部分に複数の通気孔３７が設けられている。このため、通気孔３７は回転槽１１の底部に形成された孔部３５と対向しないように配置されている。また、孔部３５及び通気孔３７の断面形状は図６に示すように、上面側の周囲が曲面３５ａ、３７ａ（３７ａは不図示）により形成されている。これにより、洗濯水や温風が流通する際の圧力損失を低減できるようになっている。
【００２５】
上記構成の洗濯乾燥機１において、洗濯乾燥機１の運転が開始されると洗い工程、すすぎ工程、脱水工程及び乾燥工程が順に行われる。洗い工程では回転槽１１に洗濯物及び洗剤が投入され、排水弁１９を閉じた状態で回転槽１１内に給水される。
【００２６】
所定の水量になると給水が停止され、駆動部４２により回転槽１１を停止して攪拌翼１２が所定の回転数で回転する。これにより洗濯物の洗いが行われる。所定時間経過すると攪拌翼１２が停止し、排水弁１９を開いて孔部３５を介して洗濯水が排水され、すすぎ工程に移行する。
【００２７】
すすぎ工程では排水弁１９が閉じられ、回転槽１１内に給水される。所定の水量になると給水が停止され、駆動部４２により回転槽１１を停止して攪拌翼１２が所定の回転数で回転する。これにより洗濯物のすすぎが行われる。所定時間経過すると攪拌翼１２が停止し、排水弁１９を開いて洗濯水が排水され、脱水工程に移行する。尚、すすぎ工程中に給水を行ってもよい。この時、回転槽１１からバランサ３４の切欠部３６を介して溢れた洗濯水は水槽５により回収され、排水口５ａを介して排水される。
【００２８】
脱水工程では駆動部４２により回転槽１１及び攪拌翼１２が一体に高速回転する。これにより、洗濯物に含まれた洗濯水が遠心力によってコニカル状の回転槽１１の内壁を上昇し、バランサ３４の切欠部３６を介して回転槽１１から溢水する。回転槽１１の溢水は水槽５により回収され、排水口５ａを介して排水される。これにより、洗濯物の脱水が行われる。所定時間経過すると回転槽１１及び攪拌翼１２が停止し、乾燥工程に移行する。
【００２９】
乾燥工程では排水弁１９が閉じられ、駆動部４２により回転槽１１及び攪拌翼１２が一体に所定の回転数で回転する。攪拌翼１２だけを回転させて、洗濯物をほぐす工程を付加しても良い。乾燥ファン１７及び乾燥ヒータ７が駆動されると、温風が温風吹出口６から回転槽１１内に供給される。温風は洗濯物と接触した後、攪拌翼１２及び回転槽１１の通気孔３７及び孔部３５を介して排気され、温風経路１５に流入する。
【００３０】
温風経路１５ではノズル１６から放射または噴霧された冷却水によって温風が冷却され、温風内の水分が結露して除湿される。そして、乾燥ヒータ７により加熱して回転槽１１に供給され、温風が循環する。これにより、洗濯物の乾燥が行われる。所定時間経過すると回転槽１１、攪拌翼１２、乾燥ヒータ７、乾燥ファン１７が停止し、排水弁１９を開いてノズル１６による注水を排水して洗濯及び乾燥が終了する。
【００３１】
本実施形態によると、洗濯物を収容する回転槽１１は周壁が無孔壁から成り、温風を排気する孔部３５を底面に有するため、従来のように回転槽１１の周壁に設けた小孔から水槽５側に温風が流出することを防止することができる。従って、洗濯物と温風が充分に接触して底面の孔部３５から流出するため乾燥時間を短縮して乾燥効率を向上させることができる。
【００３２】
尚、回転槽１１の周壁は少なくとも定格水位よりも下方が無孔壁であればよい。即ち、定格水位よりも上方に小孔を形成しても洗濯中に漏水することはない。また、温風吹出口６から下方に向けて温風が送出されるため、定格水位よりも上方に形成された小孔から流出する温風量は少ない。このため、乾燥効率の低下を招かない。
【００３３】
また、回転槽１１の孔部３５が中心部に配され、攪拌翼１２の通気孔３７が外周部に配されるため、通気孔３７を通過した温風が回転槽１１の底面と衝突して乱流を発生する。従って、洗濯物に温風がより接触して更に乾燥効率を向上させることができる。
【００３４】
孔部３５を外周側に配置して通気孔３７を中心部に配置して非対向にしてもよいが、本実施形態のように通気孔３７を外周側に配すると、回転によって外周側に配置される洗濯物と温風とをより接触させることができる。個数の増加や直径の拡大等によって通気孔３７を外周へいく程開口率を大きくするとより望ましい。
【００３５】
また、孔部３５を介して温風の排気及び洗濯水の排水を行うので、孔部３５を中心部に配置することによって排水経路２９内に貯水される貯水量を削減して節水を図ることができる。
【００３６】
【発明の効果】
本発明によると、洗濯物を収容する回転槽は定格水位以下の周壁が無孔壁から成り、温風を排気する孔部を底面に有するため、従来のように回転槽の周壁に設けた小孔から水槽側に温風が流出することを防止することができる。従って、洗濯物と温風が充分に接触して底面の孔部から流出するため、乾燥時間を短縮して乾燥効率を向上させることができる。
【００３７】
【図面の簡単な説明】
【図１】は、本発明の実施形態の洗濯乾燥機を示す側面断面図である。
【図２】は、本発明の実施形態の洗濯乾燥機の駆動部を示す側面断面図である。
【図３】は、本発明の実施形態の洗濯乾燥機の回転槽を示す平面図である。
【図４】は、本発明の実施形態の洗濯乾燥機の回転槽の上部を示す側面断面図である。
【図５】は、本発明の実施形態の洗濯乾燥機の攪拌翼を示す平面図である。
【図６】は、本発明の実施形態の洗濯乾燥機の回転槽の孔部を示す側面断面図である。
【符号の説明】
１    洗濯乾燥機
２    上面板
３    制御部
４    開閉用蓋
５    水槽
６    温風吹出口
７    乾燥ヒータ
８    糸屑フィルタ
９    水槽カバー
１０    内蓋
１１    回転槽
１２    攪拌翼
１３    モータ
１４    機構部
１５    温風経路
１６    ノズル
１７    乾燥ファン
１８、３３  排水管
１９    排水弁
２９    排水経路
３０    シールホルダ
３４    バランサ
３５    孔部
３７    通気孔
４０    外枠
４１    温風供給部
４２    駆動部
【図１】
2004174166.tif 000003
【図２】
2004174166.tif 000004
【図３】
2004174166.tif 000005
【図４】
2004174166.tif 000006
【図５】
2004174166.tif 000007
【図６】
2004174166.tif 000008